(57)【特許請求の範囲】
【請求項１】
調理用容器を載置可能で、且つ、透光性部材からなって上下方向に赤外線を透過可能な赤外線透過部を有する天板と、
その天板に載置されている前記調理用容器を加熱するバーナと、
前記調理用容器の底部から放射されて前記赤外線透過部を透過した赤外線の放射強度である赤外線強度を検出するように、前記天板の下方側に設置された赤外線強度検出手段と、
その赤外線強度検出手段にて検出される赤外線強度に基づいて、前記調理用容器の温度を求める温度算出手段とを備えたコンロであって、
前記赤外線強度検出手段が、前記バーナにて形成される火炎から放射されて前記赤外線透過部を透過した赤外線を含んだ状態で前記赤外線強度を検出するように構成され、
前記バーナの燃焼状態が基準の状態である又は前記調理用容器の温度が基準の温度である基準状態で、且つ、前記赤外線透過部の赤外線透過状態が正常な状態において、前記赤外線強度検出手段にて検出される赤外線強度を基準赤外線強度として記憶する記憶手段と、
その記憶手段に記憶されている前記基準赤外線強度と前記基準状態において前記赤外線強度検出手段にて検出された赤外線強度とに基づいて、前記赤外線透過部の赤外線透過状態が正常か否かを判定する透過状態判定手段とが設けられているコンロ。
【請求項２】
前記バーナの燃焼状態が、互いに異なる複数の燃焼状態のうちのいずれであるかを判別する燃焼状態判別手段が設けられ、
前記記憶手段が、前記火炎から放射されて前記赤外線透過状態が正常な赤外線透過部を透過した赤外線についての前記赤外線強度検出手段の検出値を前記基準赤外線強度として、前記複数の燃焼状態の夫々に対応付けて記憶するように構成され、
前記透過状態判定手段が、前記複数の燃焼状態の夫々を前記基準状態として、前記記憶手段の記憶情報から前記燃焼状態判別手段により判別された前記燃焼状態に対応する前記基準赤外線強度を得て、その基準赤外線強度と前記赤外線強度検出手段にて検出された赤外線強度とに基づいて、前記赤外線透過状態が正常か否かを判定するように構成されている請求項１に記載のコンロ。
【請求項３】
前記燃焼状態判別手段が、前記バーナの燃焼状態が前記複数の燃焼状態のうちで変動したことを判別するように構成され、
前記透過状態判定手段が、前記燃焼状態判別手段により前記燃焼状態の変動が判別されたときに、前記記憶手段の記憶情報から前記燃焼状態判別手段により判別された前記燃焼状態の変動に応じた前記基準赤外線強度の変動量である基準赤外線強度変動量を求めて、その基準赤外線強度変動量と前記赤外線強度検出手段にて検出された赤外線強度の変動量である検出赤外線強度変動量とに基づいて、前記赤外線透過状態が正常か否かを判定するように構成されている請求項２に記載のコンロ。
【請求項４】
前記燃焼状態判別手段が、前記バーナが消火している消火状態と前記バーナが着火した着火状態との間の変動を前記燃焼状態の変動として判別するように構成されている請求項３に記載のコンロ。
【請求項５】
前記バーナの燃焼量を前記燃焼状態として変更調整自在な燃焼量調整手段が設けられ、
前記燃焼状態判別手段が、前記燃焼量調整手段により調整される燃焼量を検出可能に構成されて、前記燃焼量の変動を前記燃焼状態の変動として判別するように構成されている請求項３又は４に記載のコンロ。
【請求項６】
前記燃焼量調整手段が、前記燃焼量を変更調整するアクチュエータを備えて構成され、
前記透過状態判定手段が、設定時間の間、前記燃焼状態判別手段により前記燃焼状態の変動が判別されない場合は、前記燃焼量調整手段の前記アクチュエータを作動させて前記燃焼量を変更調整するように構成されている請求項５に記載のコンロ。
【請求項７】
前記火炎に接触する状態で設けられて、その火炎の温度に応じた情報を出力する火炎検出手段が設けられ、
前記記憶手段が、前記複数の燃焼状態の夫々に対応付けて、前記火炎検出手段の出力情報を基準出力情報として記憶するように構成され、
前記燃焼状態判別手段は、前記火炎検出手段の出力情報、及び、前記記憶手段に記憶している基準出力情報に基づいて、前記バーナが着火したか否か、及び、バーナの燃焼量を判別して、前記バーナの燃焼状態の変動を判別するように構成されている請求項３〜６のいずれか１項に記載のコンロ。
【請求項８】
前記透過状態判定手段が、前記基準赤外線強度変動量に対する前記検出赤外線強度変動量の減少度合を求めて、その減少度合が異常判定用設定値よりも大きいときは、前記赤外線透過状態が異常であると判定するように構成され、
前記温度算出手段が、前記減少度合が前記異常判定用設定値以下の場合は、前記減少度合に基づいて補正する状態で、前記調理用容器の温度を求めるように構成されている請求項３〜７のいずれか１項に記載のコンロ。
【請求項９】
前記赤外線強度検出手段が、前記赤外線透過部を透過した赤外線のうちの特定波長域の赤外線の放射強度を前記赤外線強度として検出するように構成され、
前記記憶手段が、前記火炎から放射されて前記赤外線透過部を透過した赤外線のうちの前記特定波長域の赤外線の放射強度を前記基準赤外線強度として記憶するように構成され、
前記温度算出手段が、前記赤外線強度検出手段にて検出される赤外線強度と前記基準赤外線強度とに基づいて前記調理用容器の温度を求めるように構成され、
前記特定波長域が、前記火炎から放射される赤外線の放射強度が他の波長域の放射強度よりも小さい波長域内に設定されている請求項１〜８のいずれか１項に記載のコンロ。
【請求項１０】
前記赤外線強度検出手段が、異なる波長域である複数の前記特定波長域夫々の赤外線強度を検出するように構成され、
前記記憶手段が、前記複数の特定波長域夫々に対応して、前記基準赤外線強度を記憶するように構成され、
前記温度算出手段が、前記記憶手段の記憶情報から前記複数の特定波長域に対応する複数の前記基準赤外線強度を得て、それら複数の前記基準赤外線強度と前記複数の特定波長域について前記赤外線強度検出手段にて検出される複数の赤外線強度とに基づいて、前記調理用容器の温度を求めるように構成されている請求項９に記載のコンロ。
【発明の詳細な説明】
【技術分野】
【０００１】
本発明は、調理用容器を載置可能で、且つ、透光性部材からなって上下方向に赤外線を透過可能な赤外線透過部を有する天板と、その天板に載置されている前記調理用容器を加熱するバーナと、前記調理用容器の底部から放射されて前記赤外線透過部を透過した赤外線の放射強度である赤外線強度を検出するように、前記天板の下方側に設置された赤外線強度検出手段と、その赤外線強度検出手段にて検出される赤外線強度に基づいて、前記調理用容器の温度を求める温度算出手段とを備えたコンロに関する。
【背景技術】
【０００２】
かかるコンロは、天板に載置された調理用容器の底部から放射される赤外線の赤外線強度を検出して、その検出した赤外線強度に基づいて調理用容器の温度を求めるように構成されたものであり、調理用容器の温度を非接触で得ることができる。ちなみに、そのように得られた調理用容器の温度は、例えば、調理用容器内の加熱対象物の温度調節や過熱防止等のためにバーナを制御するバーナ制御用として用いられる。
天板には、上下方向に赤外線を透過可能な赤外線透過部が設けられ、赤外線強度を検出する赤外線強度検出手段が、調理用容器の底部から放射されて赤外線透過部を透過した赤外線の赤外線強度を検出するように天板の下方側に設置されている。これにより、調理用容器から吹き零れた煮汁等により赤外線強度検出手段が汚れて赤外線強度を適切に検出できなくなるのを回避するようにしている。
【０００３】
ところで、調理用容器から吹き零れた煮汁等により、赤外線透過部が汚れる虞がある。そして、赤外線透過部が汚れると、その赤外線透過部における赤外線の透過度合である赤外線透過状態が低下するので、赤外線強度検出手段により赤外線強度を適切に検出できなくなり、延いては、調理用容器の温度を適切に求めることができなくなる。
【０００４】
そこで、従来のコンロでは、天板の下方に、赤外線透過部に向けて汚れ検知用の光を発光する発光装置と、その発光装置から発光した光のうち赤外線透過部の汚れによって反射する光を検出する受光装置とが設けられ、その受光装置の受光情報に基づいて赤外線透過部の赤外線透過状態が正常か否かを判定するように構成されていた（例えば、特許文献１参照。）。
つまり、例えば、赤外線透過部の汚れの程度が強いほど受光装置の受光量が多くなる等、赤外線透過部の汚れの有無や汚れの程度に応じて、受光装置の受光量が変動するので、受光装置の受光情報に基づいて、赤外線透過部の赤外線透過状態が正常か否かを判定する構成となっていた。
【先行技術文献】
【特許文献】
【０００５】
【特許文献１】特開２００６−２２０３９５号公報
【発明の概要】
【発明が解決しようとする課題】
【０００６】
しかしながら、従来のコンロでは、赤外線透過部の赤外線透過状態が正常か否かを判定するために、上述の如き発光装置及び受光装置が設けられているので、その分コストアップとなり、コンロの価格が高くなるという問題があった。
【０００７】
本発明は、かかる実情に鑑みてなされたものであり、その目的は、赤外線透過部の赤外線透過状態が正常か否かを適切に判定できながら、低価格化を図り得るコンロを提供することにある。
【課題を解決するための手段】
【０００８】
本発明のコンロは、調理用容器を載置可能で、且つ、透光性部材からなって上下方向に赤外線を透過可能な赤外線透過部を有する天板と、その天板に載置されている前記調理用容器を加熱するバーナと、前記調理用容器の底部から放射されて前記赤外線透過部を透過した赤外線の放射強度である赤外線強度を検出するように、前記天板の下方側に設置された赤外線強度検出手段と、その赤外線強度検出手段にて検出される赤外線強度に基づいて、前記調理用容器の温度を求める温度算出手段とを備えたものであって、
第１特徴構成は、前記赤外線強度検出手段が、前記バーナにて形成される火炎から放射されて前記赤外線透過部を透過した赤外線を含んだ状態で前記赤外線強度を検出するように構成され、
前記バーナの燃焼状態が基準の状態である又は前記調理用容器の温度が基準の温度である基準状態で、且つ、前記赤外線透過部の赤外線透過状態が正常な状態において、前記赤外線強度検出手段にて検出される赤外線強度を基準赤外線強度として記憶する記憶手段と、
その記憶手段に記憶されている前記基準赤外線強度と前記基準状態において前記赤外線強度検出手段にて検出された赤外線強度とに基づいて、前記赤外線透過部の赤外線透過状態が正常か否かを判定する透過状態判定手段とが設けられている点にある。
【０００９】
上記特徴構成によれば、透過状態判定手段は、記憶手段に記憶されている基準赤外線強度と基準状態において赤外線強度検出手段にて検出された赤外線強度とに基づいて、赤外線透過部の赤外線透過状態が正常か否かを判定する。
つまり、赤外線透過部の赤外線透過状態が正常であれば、基準状態において赤外線強度検出手段にて検出される赤外線強度は基準赤外線強度と同等であり、赤外線透過部が煮汁等により汚れて赤外線透過状態が低下していると、基準状態において赤外線強度検出手段にて検出される赤外線強度は基準赤外線強度よりも小さくなるので、基準赤外線強度と基準状態において赤外線強度検出手段にて検出された赤外線強度とに基づいて、赤外線透過部の赤外線透過状態が正常か否かを判定することができるのである。
そして、透過状態判定手段は、バーナの作動制御のために元々このようなコンロに設けられているコントローラを用いて構成することができ、記憶手段も、そのコントローラに元々備えられている内部メモリ等を用いることができるので、赤外線透過部の赤外線透過状態が正常か否かを判定するために、従来のコンロに設けた発光装置及び受光装置の如き専用の部材を設ける必要がなく、コストアップを回避することができる。
従って、赤外線透過部の赤外線透過状態が正常か否かを適切に判定できながら、低価格化を図り得るコンロを提供することができる。
【００１０】
第２特徴構成は、上記第１特徴構成に加えて、
前記バーナの燃焼状態が、互いに異なる複数の燃焼状態のうちのいずれであるかを判別する燃焼状態判別手段が設けられ、
前記記憶手段が、前記火炎から放射されて前記赤外線透過状態が正常な赤外線透過部を透過した赤外線についての前記赤外線強度検出手段の検出値を前記基準赤外線強度として、前記複数の燃焼状態の夫々に対応付けて記憶するように構成され、
前記透過状態判定手段が、前記複数の燃焼状態の夫々を前記基準状態として、前記記憶手段の記憶情報から前記燃焼状態判別手段により判別された前記燃焼状態に対応する前記基準赤外線強度を得て、その基準赤外線強度と前記赤外線強度検出手段にて検出された赤外線強度とに基づいて、前記赤外線透過状態が正常か否かを判定するように構成されている点にある。
【００１１】
即ち、バーナが点火された直後の着火状態や、バーナが燃焼している状態でも燃焼量が異なる等、バーナには互いに異なる複数の燃焼状態があり、そして、そのような各燃焼状態で火炎から放射される赤外線の放射強度は、予め分かった所定の値である。
そこで、火炎から放射されて赤外線透過状態が正常な赤外線透過部を透過した赤外線についての赤外線強度検出手段の検出値を、基準赤外線強度として、複数の燃焼状態の夫々に対応付けて記憶手段に記憶させる。
そして、バーナの複数の燃焼状態の夫々を基準状態として、燃焼状態が複数の燃焼状態のうちのいずれであるかを判別して、判別した燃焼状態に対応する基準赤外線強度を記憶手段の記憶情報から得て、その基準赤外線強度と赤外線強度検出手段にて検出された赤外線強度とに基づいて赤外線透過状態が正常か否かを判別するように構成することにより、バーナの燃焼状態が異なっても、赤外線透過状態が正常か否かを判定することができる。
但し、調理用容器を載置しない状態で、又は、天板に常温又は常温よりも低温の調理用容器を載置した状態として、調理用容器からの赤外線強度の影響を弱くする又は無くした状態で、赤外線透過状態が正常か否かを判定するように構成するのが好ましい。
従って、使用者によってバーナの燃焼状態が複数の燃焼状態のうちで様々に設定されるが、夫々の燃焼状態で赤外線透過状態が正常か否かを判定することができるので、赤外線透過状態が正常か否かの判定を確実に行うことができる。
【００１２】
第３特徴構成は、上記第２特徴構成に加えて、
前記燃焼状態判別手段が、前記バーナの燃焼状態が前記複数の燃焼状態のうちで変動したことを判別するように構成され、
前記透過状態判定手段が、前記燃焼状態判別手段により前記燃焼状態の変動が判別されたときに、前記記憶手段の記憶情報から前記燃焼状態判別手段により判別された前記燃焼状態の変動に応じた前記基準赤外線強度の変動量である基準赤外線強度変動量を求めて、その基準赤外線強度変動量と前記赤外線強度検出手段にて検出された赤外線強度の変動量である検出赤外線強度変動量とに基づいて、前記赤外線透過状態が正常か否かを判定するように構成されている点にある。
【００１３】
即ち、例えば、バーナが点火されることにより、バーナの燃焼状態が消火状態から着火状態に変動し、又、バーナの燃焼量が変更調整されることにより、バーナの燃焼状態が変動するが、そのような燃焼状態の変動は、通常は、天板に調理用容器が載置されたままか載置されていないままで行われるものであり、又、天板に調理用容器が載置されたままで行われても、燃焼状態の変動前後では、調理用容器の温度は殆ど変化しないとみなされる。
そこで、バーナの燃焼状態が複数の燃焼状態の間で変動したときに、赤外線強度検出手段にて検出された赤外線強度の変動量を検出赤外線強度変動量として求めると、その検出赤外線強度変動量は、調理用容器から放射された赤外線についての赤外線強度が相殺されて、火炎から放射された赤外線のみについての赤外線強度の変動量であると見なすことができる。
又、赤外線透過部の赤外線透過状態が低下していると、赤外線強度検出手段にて検出された赤外線強度は、燃焼状態の変動前後で、赤外線透過状態が正常なときに対して略同等の比率で低下する。つまり、バーナの燃焼状態の変動前に赤外線強度検出手段にて検出された赤外線強度は、その変動前の燃焼状態に対応する基準赤外線強度よりも小さく、バーナの燃焼状態の変動後に赤外線強度検出手段にて検出された赤外線強度も、その変動後の燃焼状態に対応する基準赤外線強度よりも小さいので、燃焼状態の変動に応じた検出赤外線強度変動量はその燃焼状態の変動に応じた基準赤外線強度変動量よりも小さい。
つまり、燃焼状態の変動したときに、その燃焼状態の変動に応じた検出赤外線強度変動量と基準赤外線強度変動量とを求めて、それら検出赤外線強度変動量と基準赤外線強度変動量とに基づいて赤外線透過状態が正常か否かを判定するように構成すると、天板に載置されている調理用容器の温度に拘わらず、赤外線透過状態が正常か否かを適切に判定することができる。
従って、使用者によってバーナの燃焼状態が複数の燃焼状態の間で様々に変動されるが、その変動を利用して、赤外線透過状態が正常か否かを適切に判定することができる。
【００１４】
第４特徴構成は、上記第３特徴構成に加えて、
前記燃焼状態判別手段が、前記バーナが消火している消火状態と前記バーナが着火した着火状態との間の変動を前記燃焼状態の変動として判別するように構成されている点にある。
【００１５】
即ち、バーナの消火時は火炎からの赤外線放射はなく、又、通常、バーナの点火は所定の点火用燃焼量で行われるので、バーナの点火直後の着火状態において火炎から放射される赤外線の放射強度は予め分かった所定の値である。
そこで、記憶手段に、基準赤外線強度として、バーナが点火用燃焼量で燃焼している状態での赤外線強度を記憶しておく。ちなみに、消火状態での基準赤外線強度は、例えば０とする。
そして、消火状態から着火状態に変わったときに、バーナの燃焼状態が変動したと判別して、その燃焼状態の変動に応じた検出赤外線強度変動量と基準赤外線強度変動量とを求めて、それら検出赤外線強度変動量と基準赤外線強度変動量とに基づいて赤外線透過状態が正常か否かを判定するように構成すると、赤外線透過状態が正常か否かを適切に判定することができる。
従って、バーナに点火した時点で赤外線透過状態が正常か否かを適切に判定することができるので、コンロを一段と安全に使用することができる。
【００１６】
第５特徴構成は、上記第３又は第４特徴構成に加えて、
前記バーナの燃焼量を前記燃焼状態として変更調整自在な燃焼量調整手段が設けられ、
前記燃焼状態判別手段が、前記燃焼量調整手段により調整される燃焼量を検出可能に構成されて、前記燃焼量の変動を前記燃焼状態の変動として判別するように構成されている点にある。
【００１７】
即ち、バーナの火炎から放出される赤外線の放射強度は、バーナの燃焼量に応じた値であり、記憶手段に、バーナの燃焼量に応じて基準赤外線強度を記憶しておく。
そして、燃焼量調整手段によりバーナの燃焼量が変更調整されたときに、その燃焼量の変動に応じた検出赤外線強度変動量と基準赤外線強度変動量とを求めて、それら検出赤外線強度変動量と基準赤外線強度変動量とに基づいて赤外線透過状態が正常か否かを判定するように構成すると、赤外線透過状態が正常か否かを適切に判定することができる。
従って、バーナを燃焼させて調理用容器を加熱しているときに赤外線透過状態が正常か否かを適切に判定することができるので、コンロを一段と安全に使用することができる。
【００１８】
第６特徴構成は、上記第５特徴構成に加えて、
前記燃焼量調整手段が、前記燃焼量を変更調整するアクチュエータを備えて構成され、
前記透過状態判定手段が、設定時間の間、前記燃焼状態判別手段により前記燃焼状態の変動が判別されない場合は、前記燃焼量調整手段の前記アクチュエータを作動させて前記燃焼量を変更調整するように構成されている点にある。
【００１９】
上記特徴構成によれば、設定時間の間、燃焼状態が変動されない場合は、強制的にアクチュエータが作動されて、燃焼量調整手段によりバーナの燃焼量が変更調整されるので、赤外線透過状態が正常か否かが判定される。
従って、煮込み料理等、比較的長時間にわたって火力が変更されない調理が行われている場合でも、赤外線透過状態が正常か否かが判定されるので、コンロを一段と安全に使用することができる。
【００２０】
第７特徴構成は、上記第３〜第６特徴構成のいずれかに加えて、前記火炎に接触する状態で設けられて、その火炎の温度に応じた情報を出力する火炎検出手段が設けられ、
前記記憶手段が、前記複数の燃焼状態の夫々に対応付けて、前記火炎検出手段の出力情報を基準出力情報として記憶するように構成され、
前記燃焼状態判別手段は、前記火炎検出手段の出力情報、及び、前記記憶手段に記憶している基準出力情報に基づいて、前記バーナが着火したか否か、及び、バーナの燃焼量を判別して、前記バーナの燃焼状態の変動を判別するように構成されている点にある。
【００２１】
即ち、火炎に接触する状態で設けられた火炎検出手段からは、バーナが着火したか否かやバーナの燃焼量等のバーナの燃焼状態に応じた情報が出力され、それら出力情報は赤外線透過部の赤外線透過状態とは無関係である。
そこで、記憶手段に、複数の燃焼状態の夫々に対応付けて火炎検出手段の出力情報を基準出力情報として記憶させておき、火炎検出手段の出力情報、及び、記憶手段に記憶している基準出力情報に基づいて、バーナが着火したか否かや、バーナの燃焼量を判別するようにすることにより、バーナの燃焼状態の変動を適切に判別することができる。
従って、バーナの燃焼状態の変動を適切に判別することができるので、延いては、赤外線透過状態が正常か否かを適切に判定することができる。
【００２２】
第８特徴構成は、上記第３〜第７特徴構成のいずれか１つに加えて、
前記透過状態判定手段が、前記基準赤外線強度変動量に対する前記検出赤外線強度変動量の減少度合を求めて、その減少度合が異常判定用設定値よりも大きいときは、前記赤外線透過状態が異常であると判定するように構成され、
前記温度算出手段が、前記減少度合が前記異常判定用設定値以下の場合は、前記減少度合に基づいて補正する状態で、前記調理用容器の温度を求めるように構成されている点にある。
【００２３】
上記特徴構成によれば、基準赤外線強度変動量に対する検出赤外線強度変動量の減少度合が異常判定用設定値よりも大きいときは、赤外線透過状態が異常であると判定される。
一方、減少度合が異常判定用設定値以下の場合は、その減少度合に基づいて補正する状態で、調理用容器の温度が求められる。
つまり、赤外線透過部の汚れの程度が大きくて、検出赤外線強度の低下度合いが大きいときは、検出した赤外線強度に基づいて調理用容器の温度を求めると、その精度が悪くなる虞があるので、赤外線透過状態が異常であると判定するようにして、警報手段を作動させる、あるいは、バーナを消火する等の安全措置をとるようにする。
一方、赤外線透過部の汚れの程度が小さくて、検出赤外線強度の低下度合いが小さいときは、基準赤外線強度変動量に対する検出赤外線強度変動量の減少度合に基づいて補正する状態で、調理用容器の温度を求めることにより、求めた温度の精度が悪くなるのを抑制して、バーナによる加熱調理の継続を可能にする。
従って、コンロを一段と安全に使用することができる。
【００２４】
第９特徴構成は、上記第１〜第８特徴構成のいずれか１つに加えて、
前記赤外線強度検出手段が、前記赤外線透過部を透過した赤外線のうちの特定波長域の赤外線の放射強度を前記赤外線強度として検出するように構成され、
前記記憶手段が、前記火炎から放射されて前記赤外線透過部を透過した赤外線のうちの前記特定波長域の赤外線の放射強度を前記基準赤外線強度として記憶するように構成され、
前記温度算出手段が、前記赤外線強度検出手段にて検出される赤外線強度と前記基準赤外線強度とに基づいて前記調理用容器の温度を求めるように構成され、
前記特定波長域が、前記火炎から放射される赤外線の放射強度が他の波長域の放射強度よりも小さい波長域内に設定されている点にある。
【００２５】
上記特徴構成によれば、赤外線強度検出手段により、赤外線透過部を透過した赤外線のうちの特定波長域の赤外線の放射強度が赤外線強度として検出される。
又、記憶手段には、火炎から放射されて赤外線透過部を透過した赤外線のうちの特定波長域の赤外線の放射強度が基準赤外線強度として記憶されている。
そして、温度算出手段により、赤外線強度検出手段にて検出される赤外線強度と基準赤外線強度とに基づいて調理用容器の温度が求められる。
例えば、赤外線強度検出手段にて検出される赤外線強度から基準赤外線強度を減算してその赤外線強度に基づいて調理用容器の温度を求めることにより、火炎の影響を抑制して調理用容器の温度を求めることができる。
しかも、特定波長域が、火炎から放射される赤外線の放射強度が他の波長域の放射強度よりも小さい波長域内に設定されているので、赤外線強度に基づいて調理用容器の温度を求めるに当たって、火炎の影響を一層抑制することができる。
従って、火炎から放射される赤外線による影響を少なくすることにより、バーナにて加熱される調理用容器の温度を精度良く求めることができる。
【００２６】
第１０特徴構成は、上記第９特徴構成に加えて、
前記赤外線強度検出手段が、異なる波長域である複数の前記特定波長域夫々の赤外線強度を検出するように構成され、
前記記憶手段が、前記複数の特定波長域夫々に対応して、前記基準赤外線強度を記憶するように構成され、
前記温度算出手段が、前記記憶手段の記憶情報から前記複数の特定波長域に対応する複数の前記基準赤外線強度を得て、それら複数の前記基準赤外線強度と前記複数の特定波長域について前記赤外線強度検出手段にて検出される複数の赤外線強度とに基づいて、前記調理用容器の温度を求めるように構成されている点にある。
【００２７】
上記特徴構成によれば、赤外線強度検出手段により、異なる波長域である複数の特定波長域夫々の赤外線強度が検出される。
又、記憶手段には、複数の特定波長域夫々に対応して、基準赤外線強度が記憶されている。
そして、温度算出手段により、複数の特定波長域について赤外線強度検出手段にて検出される複数の赤外線強度と、記憶手段に記憶されている複数の基準赤外線強度とに基づいて、調理用容器の温度が求められる。
例えば、複数の特定波長域について赤外線強度の比と調理用容器の温度との相関関係を予め計測して記憶しておく。そして、赤外線強度検出手段にて検出される複数の特定波長域夫々の検出赤外線強度から夫々の基準赤外線強度を減算して、複数の特定波長域について火炎分減殺赤外線強度を求めて、複数の特定波長域について求めた火炎分減殺赤外線強度の比と記憶手段に記憶されている相関関係とから調理用容器の温度を求める構成にする。
このように構成することにより、調理用容器の放射率の違いにかかわらず、調理用容器の温度を適切に求めることが可能となる。
【図面の簡単な説明】
【００２８】
【図１】コンロの略構成図
【図２】赤外線放射強度の分光スペクトルデータを示す図
【図３】赤外線放射強度の分光スペクトルデータを示す図
【図４】赤外線放射強度の分光スペクトルデータを示す図
【図５】赤外線放射強度の分光スペクトルデータを示す図
【図６】バーナの火力と火炎からの赤外線強度との相関関係を示す図
【図７】バーナの火力と火炎からの赤外線強度との相関関係を示す図
【図８】バーナの火力と基準起電力との相関関係を示す図
【図９】調理用容器の温度と赤外線強度検出部の出力との相関関係を示す図
【図１０】調理用容器の温度と赤外線強度検出部の出力比との相関関係を示す図
【発明を実施するための形態】
【００２９】
以下、図面に基づいて、本発明の実施の形態を説明する。
図１に示すように、コンロは、耐熱性を備える材質からなる平板状の天板１と、その天板１上に設置されて、調理用容器Ｎを載置可能な五徳２と、その五徳２上に載置されている調理用容器Ｎを加熱するバーナ２０と、このコンロの作動を制御するコンロコントローラ３０と、コンロコントローラ３０にバーナ２０への点火指令、消火指令及び火力設定指令等を指令する手動操作式の操作部３等を備えて構成されている。ちなみに、操作部３は、バーナ２０の火力を例えば１〜５（火力１＜火力２＜……………＜火力５）の５段階で設定可能に構成されている。
【００３０】
バーナ２０は、ブンゼン燃焼式であり、燃料供給路４を通じて供給される燃料ガスＧを噴出するガスノズル２１、そのガスノズル２１から燃料ガスＧが噴出されると共に、その燃料ガスＧの噴出に伴う吸引作用により燃焼用空気Ａが供給される混合管２２、及び、混合管２２から供給される混合気を径方向外方側に噴出する複数の炎口２３を外周面に備えたバーナ本体２４等を備えて構成されている。
【００３１】
天板１には、バーナ用開口１ａが設けられ、バーナ２０は、バーナ本体２４がバーナ用開口１ａに挿通されて天板１の上方に露出する形態で、天板１の下方に設置されている。
そして、バーナ本体２４の複数の炎口２３から放射状に混合気が噴出され、その混合気が燃焼して火炎Ｆが形成されて、調理用容器Ｎが加熱されるように構成されている。
バーナ２０の炎口２３の近傍に、火炎Ｆに接触する状態で、熱電対にて構成された火炎センサ５が設けられている。この火炎センサ５は、バーナ２０の火力が大きくなって火炎Ｆの温度が高くなるほど大きくなる状態で、火炎Ｆの温度に応じた熱起電力（電圧）を出力するように構成されている。つまり、この火炎センサ５は、火炎Ｆの温度に応じた情報を出力する火炎検出手段として機能する。
又、図示を省略するが、バーナ２０の炎口２３の近傍には、点火用のイグナイタが設けられている。
【００３２】
燃料供給路４には、供給される燃料ガスＧの圧力を設定値に調整するガバナ６と、ガスノズル２１への燃料ガスＧの供給を断続する燃料供給断続弁７と、ガスノズル２１への燃料ガスＧの供給量を調節する燃料供給量調節弁４０とが設けられている。つまり、この燃料供給量調節弁４０が、バーナ２０の燃焼量を変更調整自在な燃焼量調整手段に相当する。
この燃料供給量調節弁４０は、開度調節体（図示せず）を例えば電動モータとネジ送り機構等を用いた電動式の操作機構４１（アクチュエータに相当する）により移動操作することにより開度を調節するように構成され、且つ、開度調節体の移動操作位置を操作位置センサ４２にて検出する構成となっている。
【００３３】
天板１において、バーナ本体２４の側部近傍で、バーナ２０にて形成される火炎Ｆの下方に相当する位置に、窓用開口１ｂが形成され、その窓用開口１ｂに、赤外線を透過可能な板状の透光板８が嵌め込まれている。この透光板８は、天板１を構成する材質とは異なる材質にて構成されている。これら窓用開口１ｂと透光板８とにより、透光性部材からなって上下方向に赤外線を透過可能な赤外線透過部としての赤外線透過窓９が構成される。
【００３４】
そして、このコンロには、赤外線強度検出手段としての赤外線強度検出部５０が、天板１上に載置されている調理用容器Ｎの底部から放射されて赤外線透過窓９を透過した赤外線の放射強度である赤外線強度を検出するように天板１の下方側に設置され、更に、その赤外線強度検出部５０にて検出される赤外線強度に基づいて、調理用容器Ｎの温度を求める温度算出手段３２が設けられている。
【００３５】
次に、コンロコントローラ３０について説明する。このコンロコントローラ３０は、マイクロコンピュータを用いて構成され、所定のコンピュータプログラムを実行することにより、各種制御を実行するように構成されている。そして、このコンロコントローラ３０を用いて、バーナ２０の作動を制御する燃焼制御手段３１が構成され、前述の温度算出手段３２も、このコンロコントローラ３０を用いて構成されている。
【００３６】
燃焼制御手段３１は、操作部３から点火指令が指令されると、バーナ２０に点火させる点火処理を実行する。この点火処理では、燃料供給断続弁７を開弁し、且つ、点火用火力（例えば、火力３）に対応する操作位置になるように操作位置センサ４２の検出情報に基づいて燃料供給量調節弁４０の操作機構４１を制御してイグナイタを作動させ、火炎センサ５によりバーナ２０の点火が確認されるとイグナイタの作動を停止する。
又、燃焼制御手段３１は、火炎センサ５によりバーナ２０の点火が確認されて点火処理が終了して、火炎センサ５によりバーナ２０の燃焼が確認されている状態において、操作部３からの火力設定指令に基づいて、設定された火力に対応する操作位置になるように操作位置センサ４２の検出情報に基づいて操作機構４１を制御することにより、バーナ２０の火力（燃焼量）を調整する。つまり、操作部３から火力の変更が指令されると、変更された火力に対応する操作位置になるように操作機構４１を制御することにより、バーナ２０の火力を変更調整する構成となっている。
【００３７】
更に、燃焼制御手段３１は、火炎センサ５によりバーナ２０の燃焼が確認されなくなったり、操作部３から消火指令が指令されると、燃料供給断続弁７及び燃料供給量調整弁４０を閉弁してバーナ２０を消火する消火処理を実行する。
【００３８】
次に、赤外線強度検出部５０について説明する。
赤外線強度検出部５０は、バーナ２０にて形成される火炎Ｆから放射されて赤外線透過窓９を透過した赤外線を含んだ状態で赤外線強度を検出するように構成され、並びに、赤外線透過窓９を透過した赤外線のうちの特定波長域の赤外線の放射強度を赤外線強度として検出するように構成されている。
更に、赤外線強度検出部５０は、異なる波長域である２つの特定波長域夫々の赤外線強度を検出するように構成されている。
説明を加えると、図１に示すように、赤外線強度検出部５０は、通過させる赤外線の波長域が互いに異なる２個のバンドパスフィルタ５１ａ，５１ｂと、それら２個のバンドパスフィルタ５１ａ，５１ｂを通過した赤外線を各別に検出する２個の赤外線検出素子５２ａ，５２ｂとを備えて構成して、調理用容器Ｎから放射される赤外線における互いに異なる２つの特定波長域夫々についての赤外線強度を検出するように構成されている。バンドパスフィルタ５１ａ，５１ｂは、所定の波長域の赤外線のみを透過させるように構成されている。この実施形態では、２つの特定波長域が、バーナ２０にて形成される火炎Ｆから放射される赤外線の放射強度が他の波長域の放射強度よりも小さい波長域内に設定されている。具体的には、２つの特定波長域として、３．５μｍ以上且つ４．０μｍ以下の波長域、及び、９．０μｍ以上且つ１２．０μｍ以下の波長域が設定されている。
【００３９】
このような波長域の赤外線強度を検出する２個の赤外線検出素子５２ａ，５２ｂとしては、Ｇｅ若しくはＩｎＧａＡｓを赤外線セルとして用いたもの、ＰｂＳ若しくはＰｂＳｅを赤外線セルとして用いたもの、また、ＨｇＣｄＴｅを赤外線セルとして用いたもの等、種々のものを利用することができる。
【００４０】
本発明では、バーナ２０の燃焼状態が基準の状態である基準状態で、且つ、赤外線透過窓９の赤外線透過状態が正常な状態において、赤外線強度検出部５０にて検出される赤外線強度を基準赤外線強度として記憶する記憶手段としての記憶部３３と、その記憶部３３に記憶されている基準赤外線強度と基準状態において赤外線強度検出部５０にて検出された赤外線強度とに基づいて、赤外線透過窓９の赤外線透過状態が正常か否かを判定する透過状態判定手段３４とが設けられている。
ここで、この実施形態では、基準状態とは、主に、バーナ２０が消火している消火状態や、バーナ２０の複数段階の火力に夫々応じた状態であり、そして、複数段階の火力に夫々応じた状態としては、火力１〜火力５の５状態が設定されている。
【００４１】
この実施形態では、バーナ２０の燃焼状態が、互いに異なる複数の燃焼状態のうちのいずれであるかを判別する燃焼状態判別手段３５が設けられている。
ちなみに、記憶部３３は、コンロコントローラ３０の内部メモリにより構成され、透過状態判定手段３４及び燃焼状態判別手段３５は、コンロコントローラ３０を用いて構成されている。
【００４２】
以下、透過状態判定手段３４における赤外線透過状態が正常か否かを判定する構成、及び、燃焼状態判別手段３５における燃焼状態を判別する構成について、説明を加える。
先ず、記憶部３３に記憶されている記憶情報について説明する。
図２及び図３には、調理用容器Ｎ内に、例えば天ぷら油を収容している状態でバーナ２０にて調理用容器Ｎが２００℃にまで加熱されている状態において、赤外線透過状態が正常（汚れていない）な赤外線透過窓９を透過した赤外線の放射強度スペクトル分布を示している。図３は、図２の記載内容を理解し易くするためにその一部を縦軸方向に拡大した図である。ちなみに、図中のラインＬ１は、バーナ２０が火力５で燃焼している状態の赤外線の放射強度スペクトル分布であり、ラインＬ２は、バーナ２０が火力３で燃焼している状態の赤外線の放射強度スペクトル分布であり、ラインＬ３は、バーナ２０が火力１で燃焼している状態の赤外線の放射強度スペクトル分布である。
【００４３】
一方、図４及び図５には、五徳２に載置される調理用容器Ｎ内に氷水を入れて調理用容器Ｎの底部が低温（常温またはそれよりも低い温度）になっており且つバーナ２０が火炎Ｆを形成している状態において、赤外線透過状態が正常な赤外線透過窓９を透過した赤外線の放射強度スペクトル分布を示しており、図５は、図４の一部を縦軸方向に拡大した図である。図中のラインＬ４は、バーナ２０が火力５で燃焼している状態の赤外線の放射強度スペクトル分布であり、ラインＬ５は、バーナ２０が火力３で燃焼している状態の赤外線の放射強度スペクトル分布であり、ラインＬ６は、バーナ２０が火力１で燃焼している状態の赤外線の放射強度スペクトル分布である。
【００４４】
ところで、図３及び図５夫々において、λ１、λ２は、２つの特定波長域を示し、波長域λ２の方が波長域λ１よりも長波長側である。
そして、図３及び図５夫々において、波長域λ１、λ２夫々における赤外線強度は、このコンロに設けられる赤外線強度検出部５０により検出されたデータである。
【００４５】
図２及び図３と図４及び図５とから、赤外線透過状態が正常な赤外線透過窓９を透過した赤外線の放射強度は、調理用容器Ｎの底部から放射された赤外線の放射強度と、火炎Ｆから放射された赤外線の放射強度とが合わさったものであることが分かる。
そして、図４及び図５のデータを得たのと同じ温度条件（常温またはそれよりも低い温度）の調理用容器Ｎの底部から放射されて赤外線透過状態が正常な赤外線透過窓９を透過した赤外線の放射強度を計測して、その計測放射強度を図４及び図５に示す如き放射強度スペクトル分布から差し引くと、バーナ２０の火力（燃焼量）を種々変化させたときのバーナ２０の火炎Ｆからの赤外線の放射強度（基準赤外線強度）を求めることができる。
【００４６】
例えば、波長域λ１については図６に、波長域λ２については図７に夫々示す如く、火力と基準赤外線強度との相関関係が得られる。ちなみに、図６における赤外線強度は、図５における赤外線強度を波長域λ１の範囲で積分した値であり、同様に、図７における赤外線強度は、図５における赤外線強度を波長域λ２の範囲で積分した値である。
【００４７】
そして、例えば、特定波長域λ１、λ２夫々について、火力と基準赤外線強度との相関関係の情報（以下、火力対基準赤外線強度関係情報と記載する場合がある）が、記憶部３３に記憶される。ちなみに、この火力対基準赤外線強度関係情報は、近似式にて設定して記憶してもよく、マップデータにて記憶してもよい。又、記憶部３３に記憶されている火力対基準赤外線強度関係情報には、バーナ２０が燃焼していない消火状態に対応して、０の基準赤外線強度も含まれる。
【００４８】
ここで、バーナ２０が燃焼していない消火状態、及び、バーナ２０が５段階の火力（バーナ２０の燃焼量に相当する）夫々で燃焼している状態を、バーナの複数の燃焼状態であるとする。
すると、記憶部３３が、火炎Ｆから放射されて赤外線透過状態が正常な赤外線透過窓９を透過した赤外線についての赤外線強度検出部５０の検出値を基準赤外線強度として、複数の燃焼状態の夫々に対応付けて記憶するように構成されていることになる。
又、記憶部３３が、火炎Ｆから放射されて赤外線透過窓９を透過した赤外線のうちの特定波長域の赤外線の放射強度を基準赤外線強度として記憶するように構成されていることになる。
更に、記憶部３３が、２つの特定波長域夫々に対応して、基準赤外線強度を記憶するように構成されていることになる。
【００４９】
又、図７に、破線及び一点鎖線にて、赤外線透過窓９が汚れてその赤外線透過状態が低下した場合の火力と赤外線強度との相関関係を示す。ちなみに、破線にて、赤外線透過窓９の赤外線透過率が正常な状態の８０％に低下して、赤外線強度が基準赤外線強度の８０％にまで低下した場合を示し、一点鎖線にて、赤外線透過窓９の赤外線透過率が正常な状態の６０％に低下して、赤外線強度が基準赤外線強度の６０％にまで低下した場合を示す。
【００５０】
一方、火力と火炎センサ５の起電力（電圧）との間には、図８に示す如き相関関係がある。
そして、図８に示す如き火力と火炎センサ５の起電力（電圧）との相関関係の情報が、火力（バーナ２０の燃焼量に相当する）と火炎センサ５の基準起電力（基準出力情報に相当する）との相関関係の情報（以下、火力対基準起電力関係情報）として、記憶部３３に記憶されている。ちなみに、この火力対基準起電力関係情報は、近似式にて設定して記憶してもよく、マップデータにて記憶してもよい。又、記憶部３３に記憶されているこの火力対基準起電力関係情報には、バーナ２０が燃焼していない消火状態に対応して、０の基準起電力も含まれる。
つまり、記憶部３３が、複数の燃焼状態の夫々に対応付けて、火炎センサ５の出力情報を基準出力情報として記憶するように構成されていることになる。
【００５１】
次に、燃焼状態判別手段３５について説明を加える。この燃焼状態判別手段３５は、火炎センサ５の起電力と火力対基準起電力関係情報に基づいて、バーナ２０の燃焼状態の変動を判別するように構成されている。
具体的には、燃焼状態判別手段３５は、火炎センサ５の起電力が０から点火用火力（例えば、火力３）に対応する基準起電力に変動すると、バーナ２０の燃焼状態が消火状態から着火状態に変動したと判別する。
又、燃焼状態判別手段３５は、例えば、火炎センサ５の起電力が火力２に対応する基準起電力から火力５に対応する起電力に変動した場合は、火力２から火力５への火力の変動を判別する如く、火炎センサ５の起電力と火力対基準起電力関係情報に基づいて、バーナ２０の火力の変動を判別する。
【００５２】
つまり、この実施形態では、燃焼状態判別手段３５が、上述のように構成されることにより、燃焼状態判別手段３５が、バーナ２０の燃焼状態が複数の燃焼状態のうちで変動したことを判別するように構成されていることになる。
又、燃焼状態判別手段３５が、バーナ２０が消火している消火状態とバーナ２０が着火した着火状態との間の変動を燃焼状態の変動として判別するように構成されていることになる。
又、燃焼状態判別手段３５が、燃料供給量調整弁４０により調整される燃焼量を検出可能に構成されて、燃焼量の変動を燃焼状態の変動として判別するように構成されていることになる。
更に、燃焼状態判別手段３５は、火炎検出センサ５の出力情報、及び、記憶部３３に記憶している基準起電力（基準出力情報）に基づいて、バーナ２０が着火したか否か、及び、バーナ２０の火力（燃焼量）を判別して、バーナ２０の燃焼状態の変動を判別するように構成されていることになる。
【００５３】
次に、透過状態判定手段３４について説明を加える。
尚、この実施形態では、透過状態判定手段３４により赤外線透過状態が正常か否かを判定するに当たっては、２つの特定波長域λ１，λ２のうちで、赤外線強度が大きい方の特定波長域λ２についての火力対基準赤外線強度関係情報を用いるように構成されている。
【００５４】
この透過状態判定手段３４は、燃焼状態判別手段３５によりバーナ２０の燃焼状態が消火状態から着火状態へ変動したことが判別されると、先ず、記憶部３３の火力対基準赤外線強度関係情報から、消火状態から点火用火力（火力３）での着火状態への燃焼状態の変動に応じた基準赤外線強度の変動量（差）である基準赤外線強度変動量ΔＰｓ（図７参照）を求める。
又、消火状態のときに赤外線強度検出部５０にて検出された赤外線強度と着火状態（火炎センサ９の起電力が点火用火力に対応する基準起電力になった時点）のときに赤外線強度検出部５０にて検出された赤外線強度との変動量（差）である検出赤外線強度変動量ΔＰｍとを求める。例えば、赤外線透過窓９の赤外線透過率が正常な状態の８０％に低下している場合は、図７に示す如く、検出赤外線強度変動量ΔＰｍが求められる。
そして、それら基準赤外線強度変動量ΔＰｓと検出赤外線強度変動量ΔＰｍとに基づいて、赤外線透過状態が正常か否かを判定する。
【００５５】
又、透過状態判定手段３４は、燃焼状態判別手段３５によりバーナ２０の火力の変動が判別されると、先ず、記憶部３３の火力対基準赤外線強度関係情報から、燃焼状態判別手段３５により判別された燃焼状態の変動に応じた基準赤外線強度の変動量（差）である基準赤外線強度変動量ΔＰｓを求める。
又、火力変動前に赤外線強度検出部５０にて検出された赤外線強度と火力変動後に赤外線強度検出部５０にて検出された赤外線強度との変動量（差）である検出赤外線強度変動量ΔＰｍとを求める。
そして、それら基準赤外線強度変動量ΔＰｓと検出赤外線強度変動量ΔＰｍとに基づいて、赤外線透過状態が正常か否かを判定する。
例えば、火力４から火力５への火力の燃焼状態の変動が判別されると、図７に示すように、基準赤外線強度変動量ΔＰｓが求められる。
又、例えば、赤外線透過窓９の赤外線透過率が正常な状態の８０％に低下している場合は、図７に示すように、検出赤外線強度変動量ΔＰｍが求められる。
【００５６】
そして、透過状態判定手段３４は、下記の式１により、基準赤外線強度変動量ΔＰｓに対する検出赤外線強度変動量ΔＰｍの減少率Ｒｐ（減少度合に相当し、以下、赤外線強度変動量減少率Ｒｐと記載する）を求めて、その赤外線強度変動量減少率Ｒｐが異常判定用設定値Ｋａよりも大きいときは、赤外線透過状態が異常であると判定するように構成されている。ちなみに、この実施形態では、異常判定用設定値Ｋａが、例えば０．２に設定されている。
【００５７】
Ｒｐ＝（ΔＰｓ−ΔＰｍ）÷ΔＰｓ……………（式１）
【００５８】
この実施形態では、透過状態判定手段３４が、上述のように構成されることにより、複数の燃焼状態の夫々を基準状態として、記憶部３３の記憶情報から燃焼状態判別手段３５により判別された燃焼状態に対応する基準赤外線強度を得て、その基準赤外線強度と赤外線強度検出部５０にて検出された赤外線強度とに基づいて、赤外線透過状態が正常か否かを判定するように構成されている。
又、透過状態判定手段３４が、燃焼状態判別手段３５により燃焼状態の変動が判別されたときに、記憶部３３の記憶情報から燃焼状態判別手段３５により判別された燃焼状態の変動に応じた基準赤外線強度の変動量である基準赤外線強度変動量ΔＰｓを求めて、その基準赤外線強度変動量ΔＰｓと赤外線強度検出部５０にて検出された赤外線強度の変動量である検出赤外線強度変動量ΔＰｍとに基づいて、赤外線透過状態が正常か否かを判定するように構成されていることになる。
【００５９】
更に、透過状態判定手段３４が、判定用設定時間の間、燃焼状態判別手段３５により燃焼状態の変動が判別されない場合は、燃料供給量調整弁４０の操作機構４１を作動させて火力（即ち、燃焼量）を火力変更用設定時間の間変更調整した後、元の火力に戻すように構成されている。
具体的には、火力を上側又は下側に２段階変更調整するように構成されている。
例えば、現時点の火力が、火力１、火力２、火力３の場合は、火力を２段階上げ、現時点の火力が、火力５、火力４の場合は、火力を２段階下げる。
ちなみに、判定用設定時間は、例えば、５分間に設定され、火力変更用設定時間は、変更された火力でバーナ２０の燃焼が安定するのに要する時間、例えば、５秒間程度に設定される。
【００６０】
次に、温度算出手段３２について説明を加える。
この実施形態では、温度算出手段３２が、赤外線強度検出手部５０にて検出される赤外線強度と記憶部３３に記憶されている基準赤外線強度とに基づいて調理用容器Ｎの温度を求めるように構成されている。
更に、温度算出手段３２が、記憶部３３の記憶情報から２つの特定波長域に対応する複数の基準赤外線強度を得て、それら２つの基準赤外線強度と２つの特定波長域について赤外線強度検出部５０にて検出される２つの赤外線強度とに基づいて、調理用容器Ｎの温度を求めるように構成されている。
【００６１】
更に、温度算出手段３２が、赤外線強度検出部５０にて検出される赤外線強度と燃料供給量調整弁４０の操作位置センサ４２にて検出されるバーナ２０の火力に対応する基準赤外線強度とに基づいて調理用容器Ｎの温度を求めるように構成されている。
【００６２】
温度算出手段３２により調理用容器Ｎの温度を求める処理について、具体的に説明する。
温度算出手段３２は、火力対基準赤外線強度関係情報から、操作位置センサ４２の検出情報に対応する火力に応じた基準赤外線強度を２つの特定波長域λ１，λ２夫々について求め、赤外線強度検出部５０にて検出される２つの特定波長域λ１，λ２夫々の検出赤外線強度から２つの特定波長域λ１，λ２夫々の基準赤外線強度を減算して、２つの特定波長域λ１，λ２について火炎分減殺赤外線強度を求めて、それら２つの火炎分減殺赤外線強度に基づいて調理用容器Ｎの温度を検出するように構成されている。
【００６３】
図９に、予め実験により求めた調理用容器Ｎの温度と赤外線強度検出部５０における２つの波長域λ１，λ２夫々についての出力値（赤外線強度に対応する）との関係を示す。ちなみに、この図９に示す関係は、放射率（輻射率）が０．９２の調理用容器Ｎを用いて、赤外線透過窓９の赤外線透過状態が正常な状態で得たものであり、バーナ２０の火炎Ｆによる影響の無い状態で計測した値である。
【００６４】
又、図１０に、調理用容器Ｎの温度と赤外線強度検出部５０における波長域λ１に対応する出力値と波長域λ２に対応する出力値との比である出力比との関係（以下、温度対赤外線強度比の関係と記載する場合がある）を示す。ちなみに、この図１０に示す温度対赤外線強度比の関係は、以下のようにして求めたものである。
【００６５】
即ち、放射率の異なる複数の調理用容器Ｎ夫々について、調理用容器Ｎの温度を複数の温度に異ならせて、複数の温度夫々について前記出力比を得る。この場合も、赤外線透過窓９の赤外線透過状態が正常で、且つ、バーナ２０の火炎Ｆによる影響の無い状態で計測した値である。そのように放射率εの異なる複数の調理用容器Ｎについて得たデータに基づいて、温度と出力比との関係の近似式を求めて、その求めた近似式を温度対赤外線強度比の関係としている。
従って、放射率εが種々に異なる調理用容器Ｎ夫々の温度対赤外線強度比の関係を、共通の１つの温度対赤外線強度比の関係とすることができるのである。又、上述のように求めた図１０に示す如き温度対赤外線強度比の関係がコンロコントローラ３０の記憶部３３に記憶されることになる。
【００６６】
そして、バーナ２０によって加熱されている調理用容器Ｎの温度を計測するときは、温度算出手段３２は、先ず、そのときの操作位置センサ４２の検出値から求められるバーナ３０の火力に応じた基準赤外線強度を、記憶部３３に記憶されている２つの特定波長域λ１，λ２についての火力対基準赤外線強度関係情報に基づいて、２つの特定波長域λ１，λ２夫々について求める。
【００６７】
次に、赤外線強度検出部５０における特定波長域λ１に対応する出力値及び特定波長域λ２に対応する出力値の夫々について、夫々対応する基準赤外線強度を減算して火炎分減殺出力値（火炎分減殺赤外線強度）を求め、且つ、それらの火炎分減殺出力値の出力比を求めて、その火炎分減殺出力値の出力比と記憶部３３に記憶している温度対赤外線強度比の関係から調理用容器Ｎの温度を求める。このような出力値の比をとることで調理用容器Ｎの温度をその調理用容器Ｎの放射率に依存することなく正確に検出することができる。
【００６８】
又、温度算出手段３２は、透過状態判定手段３４により求められた赤外線強度変動量減少率Ｒｐ（減少度合いに相当する）が、補正用設定値Ｋｒより大きく且つ異常判定用設定値Ｋａ以下の場合は、その赤外線強度変動量減少率Ｒｐに基づいて補正する状態で、調理用容器Ｎの温度を求めるように構成されている。ちなみに、補正用設定値Ｋｒは、例えば、０．０５に設定される。
【００６９】
次に、赤外線強度変動量減少率Ｒｐに基づいて補正する状態で調理用容器Ｎの温度を求める構成について説明を加える。
温度算出手段３２は、赤外線強度検出部５０により波長域λ１、λ２夫々につい検出された赤外線強度Ｐを下記の式２により赤外線強度変動量減少率Ｒｐに基づいて補正して、補正赤外線強度Ｐｒを求め、その補正赤外線強度Ｐｒを用いて、上述のように、調理用容器Ｎの温度を求める。
【００７０】
Ｐｒ＝Ｐ÷（１−Ｒｐ）……………（式２）
【００７１】
そして、燃焼制御手段３１は、火炎センサ５によりバーナ２０の燃焼が確認されている状態においては、温度算出手段３２により求められる調理用容器Ｎの温度に基づいて、以下に説明するような各種の処理を実行する。
例えば、燃焼制御手段３１は、温度算出手段３２により求められる調理用容器Ｎの温度に基づいて、調理用容器Ｎの温度を調理用設定温度に維持するようにバーナ２０の燃焼量を調整すべく、燃料供給量調節弁４０の操作機構４１を制御する。
又、燃焼制御手段３１は、温度算出手段３２により求められる調理用容器Ｎの温度が過熱防止用設定温度よりも高くなると、燃料供給断続弁７及び燃料供給量調節弁４０を閉弁してバーナ２０を消火する消火処理を実行する。
【００７２】
更に、燃焼制御手段３１は、透過状態判定手段３４により、赤外線強度変動量減少率Ｒｐが異常判定用設定値Ｋａよりも大きいことに基づいて赤外線透過状態が異常であると判定されると、異常報知ランプ１０を点灯する異常報知処理を実行するように構成されている。尚、異常報知処理としては、このように異常報知ランプ１０を点灯する処理の他に、異常報知ブザーを鳴らす処理等、種々の処理が可能である。
従って、使用者は、この異常報知ランプ１０の点灯により、調理用容器Ｎから吹き零れた煮汁等によって赤外線透過窓９の表面が汚れたことを容易に認識できるので、天板１における赤外透過窓９の表面に付着した汚れを除去するように清掃作業を行うことになる。
【００７３】
更に、燃焼制御手段３１は、赤外線強度変動量減少率Ｒｐが異常判定用設定値Ｋａよりも大きい値に設定される非常消火用設定値Ｋｓ以上の場合は、燃料供給断続弁７及び燃料供給量調節弁４０を閉弁してバーナ２０を消火する消火処理を実行するように構成されている。ちなみに、非常消火用設定値Ｋｓは、例えば０．４に設定される。
従って、赤外線透過窓９が汚れているために赤外線強度検出部５０により調理用容器Ｎからの赤外線を良好に検出することができないような状況において、バーナ３の加熱作動が継続されて調理用容器Ｎを誤って過熱する等の好ましくない事態を回避することができる。
【００７４】
〔別実施形態〕
次に別実施形態を説明する。
（イ）  バーナ２０の燃焼状態の変動を判別するように燃焼状態判別手段３５を構成するに当たって、上記の実施形態では、火炎センサ５の起電力と火力対基準起電力関係情報に基づいて、バーナ２０の燃焼状態の変動を判別するように構成したが、操作部３からの点火指令の有無、及び、燃料供給量調整弁４０の操作位置センサ４２の検出情報に基づいて、バーナ２０の燃焼状態の変動を判別するように構成しても良い。ちなみに、操作部３から点火指令が指令されない状態は、消火状態であると判別し、又、操作位置センサ４２の検出情報に基づいて、バーナ２０の火力（燃焼量）を判別する。
【００７５】
（ロ）  上記の実施形態では、燃焼状態判別手段３５により燃焼状態の変動が判別されたときに、赤外線透過状態が正常か否かを判定するように透過状態判定手段３４を構成したが、燃焼状態判別手段３５により判別された燃焼状態にて、赤外線透過状態が正常か否かを判定するように透過状態判定手段３４を構成しても良い。
例えば、常温又は常温よりも低温の調理用容器Ｎを五徳２に載置してバーナ２０を点火した直後に、赤外線透過状態が正常か否かを判定するように構成する。
又、五徳２に載置されている調理用容器Ｎの温度が常温又は常温よりも低温の状態で、バーナ２０を所定の火力で燃焼させているときに、赤外線透過状態が正常か否かを判定するように構成する。このようにすると、調理用容器Ｎからの赤外線強度の影響を抑制した状態で、赤外線透過状態が正常か否かを判定することができる。
具体的には、記憶部３３に記憶されている基準赤外線強度から燃焼状態判別手段３５により判別された燃焼状態に対応する基準赤外線強度を得て、その基準赤外線強度と赤外線強度検出部５０にて検出された赤外線強度とに基づいて、赤外線透過状態が正常か否かを判定するように構成する。
【００７６】
（ハ）  上記の実施形態では、燃料供給量調整弁４０に操作機構４１を設けて、その操作機構４１によりバーナ２０の燃焼量（火力）を段階的に変更調整可能なように構成したが、このような操作機構４１を省略して、燃料供給量調整弁４０の開度を連続的に変更調整可能な手動操作式のレバーを設けても良い。この場合、基準赤外線強度及び基準起電力は、連続的な燃焼量の変化に対応付けて記憶部３３に記憶させることになる。
【００７７】
（ニ）  基準状態の具体例は、上記の実施形態において例示した具体例、即ち、バーナ２０の燃焼状態が基準の状態である状態に限定されるものではなく、調理用容器Ｎの温度が基準の温度である状態でも良く、又、バーナ２０の燃焼状態が基準の状態であり且つ調理用容器Ｎの温度が基準の温度である状態でも良い。
例えば、調理用容器Ｎの温度が基準の温度である基準状態としては、例えば、バーナ２０が消火している状態で、常温の調理用容器Ｎ、あるいは、沸騰状態の湯が入って温度が略１００℃の調理用容器Ｎが五徳２に載置されている状態が挙げられる。
又、バーナ２０の燃焼状態が基準の状態であり且つ調理用容器Ｎの温度が基準の温度である基準状態としては、例えば、常温又は常温よりも低温の調理用容器Ｎを五徳２に載置してバーナ２０を点火した直後の状態が挙げられる。
そして、このような基準状態で、且つ、赤外線透過窓９の赤外線透過状態が正常な状態において、赤外線強度検出部５０にて検出される赤外線強度を基準赤外線強度として、記憶部３３に記憶させ、その基準赤外線強度と基準状態において赤外線強度検出部５０にて検出された赤外線強度とに基づいて、赤外線透過窓９の赤外線透過状態が正常か否かを判定するように構成する。
このように構成する場合は、燃焼状態判別手段３５を設ける必要がない。
【００７８】
（ホ）  上記の実施形態では、赤外線透過状態が正常か否かを判定するための赤外線波長域として、調理用容器Ｎの温度を求めるのと同様の波長域、即ち、火炎から放射される赤外線の放射強度が他の波長域の放射強度よりも小さい波長域を用いたが、火炎から放射される赤外線の放射強度が他の波長域の放射強度よりも大きい波長域を用いても良い。この場合、赤外線強度検出部５０を、火炎から放射される赤外線の放射強度が他の波長域の放射強度よりも小さい特定波長域、及び、火炎から放射される赤外線の放射強度が他の波長域の放射強度よりも大きい特定波長域夫々の赤外線強度を検出するように構成することになる。
【００７９】
（ヘ）  上記実施形態では、温度算出手段３２により温度を求める処理として、２つの特定波長域夫々についての赤外線強度の比に基づいて求める構成としたが、このような構成に代えて次のように構成してもよい。
例えば、予め、放射率の異なる複数の調理用容器Ｎを用いて、調理用容器Ｎの温度を複数の温度に異ならせて、複数の温度夫々について、複数の特定波長域夫々についての赤外線強度を計測し、その複数の特定波長域夫々についての赤外線強度を複数の温度夫々に対応させた状態でマップデータにして記憶させておく。そして、マップデータから、赤外線強度検出部５０にて検出される複数の特定波長域夫々についての赤外線強度の関係に一致する又は類似する赤外線強度の関係を求めると共に、その求めた赤外線強度の関係に対応する温度を求め、その求めた温度を調理用容器Ｎの温度とするように構成する。ちなみに、この場合は、複数の特定波長域としては、上記実施形態のように２つの特定波長域でも良いし、３つ以上の特定波長域でも良い。
【００８０】
又、特定波長域として１つの波長域を設定して、その特定波長域についての赤外線強度を複数の温度に対応させた状態でマップデータにして記憶させておき、このマップデータと特定波長域での赤外線強度の検出値とから調理用容器Ｎの温度を求める構成としてもよい。
【００８１】
（ト）  コンロに、バーナ２０が複数設けられる場合は、上記の実施形態において説明した赤外線透過窓９、並びに、赤外線強度検出部５０及びコンロコントローラ３０等の付帯装置は、複数のバーナ２０夫々について設けられることになる。
この場合、透過状態判定手段３４及び燃焼状態判別手段３５等、本発明に係わる構成も、複数のバーナ２０夫々について設けることになる。
【産業上の利用可能性】
【００８２】
以上説明したように、赤外線透過部の赤外線透過状態が正常か否かを適切に判定できながら、低価格化を図り得るコンロを提供することができる。
【符号の説明】
【００８３】
１    天板
５    火炎センサ（火炎検出手段）
９    赤外線透過窓（赤外線透過部）
２０  バーナ
３２  温度算出手段
３３  記憶部（記憶手段）
３４  透過状態判定手段
３５  燃焼状態判別手段
４０  燃料供給量調整弁（燃焼量調整手段）
４１  操作機構（アクチュエータ）
５０  赤外線強度検出部（赤外線強度検出手段）
Ｆ    火炎
Ｎ    調理用容器
【図１】
0005684625.tif 000002
【図２】
0005684625.tif 000003
【図３】
0005684625.tif 000004
【図４】
0005684625.tif 000005
【図５】
0005684625.tif 000006
【図６】
0005684625.tif 000007
【図７】
0005684625.tif 000008
【図８】
0005684625.tif 000009
【図９】
0005684625.tif 000010
【図１０】
0005684625.tif 000011